(57)【要約】【課題】漏電遮断手段が作動した状態では人体が感電する可能性のある部位は商用電源から確実に遮断し、安全性の高い衛生洗浄装置を提供することを目的とする。【解決手段】本体１０１と、本体１０１に一体に形成した操作部１０５と、便座１０２と、便蓋１０３と、洗浄手段１０４と、便座ヒータ１１７と、温水ヒータ１１６と、少なくとも前記便座ヒータ１１７と温水ヒータ１１６への電力の供給を遮断する遮断手段１２１と、電気負荷を制御する制御手段１１３と、漏電検知手段１１１と、漏電検知手段１１１の表示部１２２とテスト用スイッチ１２３を備え、漏電を検知したときは電気負荷を商用電源より遮断するとともに、本体１０１または操作部１０２に設けた表示部１２２により漏電していることにより、安全性の確保と危険性排除の対応をスムーズに行うことができる。【選択図】図２
2008082044.tif 000002
【特許請求の範囲】
【請求項１】
便器上に設置する本体と、前記本体に一体に形成した操作部と、前記本体に回動自在に枢支した便座と便蓋と、洗浄水で局部を洗浄する洗浄手段と、前記便座を加熱する便座ヒータと、前記洗浄水を加熱する温水ヒータと、少なくとも前記便座ヒータと温水ヒータへの電力の供給を遮断する遮断手段と、前記便座ヒータと温水ヒータを含む電気負荷を制御する制御手段と、前記電気負荷の漏電を検知する漏電検知手段と、前記本体または操作部の表面部に配置した前記漏電検知手段の表示部とテスト用スイッチを備え、前記漏電検知手段が漏電を検知した時は、前記遮断手段を遮断して前記電気負荷と商用電源との接続を遮断するとともに、前記表示部を表示する衛生洗浄装置。
【請求項２】
制御手段は絶縁トランスを介して商用電源と直接接続しない状態で電力供給が可能な構成とし、遮断手段を遮断した状態において制御手段に電力が供給可能な請求項１に記載の衛生洗浄装置。
【請求項３】
衛生洗浄装置から離れた位置から操作するリモコンを備え、前記リモコンに少なくとも漏電検知手段の表示部を設置した請求項１または２に記載の衛生洗浄装置。
【発明の詳細な説明】
【技術分野】
【０００１】
本発明は、衛生洗浄装置の漏電遮断器に関するものである。
【背景技術】
【０００２】
従来、この種の衛生洗浄装置は、洗浄水を所定温度に加熱する洗浄水用ヒータを２本の接続線を介して商用電源に接続し、接続線に漏電制御部を設け、漏電状態が検出されるとリレー回路のリレー接点が遮断される。電子制御部はリレー接点より商用電源側に接続された電源回路部により定電圧が供給されており、漏電遮断装置が開いても電子制御部は通電されているから、他の処理を実行することができるようになっている（例えば、特許文献１参照）。
【０００３】
図６は、特許文献１に記載された従来の衛生洗浄装置の回路図を示すものである。図６に示すように、商用電源Ｖに接続した接続線Ｌ１、Ｌ２はリレー接点１ａ、１ｂを介して洗浄水ヒータ２と便座用ヒータ３に接続してある。また、前記接続線Ｌ１、Ｌ２の途中に交流器３と漏電制御部４が配置してあり、漏電制御部４の制御によりリレー接点１ａ、１ｂが開閉する。電子制御部５は接続線Ｌ１、Ｌ２のリレー接点１ａ、１ｂより商用電源Ｖ側で分岐した電源回路部６に接続してあり、温水用のサーミスタ７と便座用サーミスタ８が接続してある。電源回路部６と電子制御部５はリレー接点１ａ、１ｂが開いた状態でも通電が継続される構成である。
【特許文献１】特開平７−２０００７２号公報
【発明の開示】
【発明が解決しようとする課題】
【０００４】
しかしながら、前記従来の構成においては、衛生洗浄装置に漏電が発生し漏電制御部がリレー接点を遮断した状態では、洗浄水用ヒータへの通電は遮断されるが、電子制御部はリレー接点より商用電源側に接続されているため遮断されることがなく、遮断されない回路の漏電に対する安全性を確保することができない。特に人体が直接接触する便座内の便座用ヒータや便座用サーミスタ、あるいは洗浄水中に設置する温水用サーミスタ等は洗浄水用ヒータと同様に使用者が感電する危険性が高い。
【０００５】
本発明は、前記従来の課題を解決するもので、漏電遮断手段が作動した状態では人体が感電する可能性のある部位は商用電源から確実に遮断し、安全性が確実に確保される部位のみを継続して通電することにより、安全性の高い衛生洗浄装置を提供するものである。
【課題を解決するための手段】
【０００６】
本体と、本体に一体に形成した操作部と、便座と、便蓋と、洗浄手段と、便座ヒータと、温水ヒータと、少なくとも前記便座ヒータと温水ヒータへの電力の供給を遮断する遮断手段と、電気負荷を制御する制御手段と、漏電検知手段と、漏電検知手段の表示部とテスト用スイッチを備え、漏電検知手段が漏電を検知した時は、遮断手段を遮断して電気負荷と商用電源との接続を遮断するとともに、前記表示部を表示するものである。
【０００７】
これにより、漏電を検知したときは電気負荷を商用電源より遮断するとともに、本体または操作部に設けた表示部により漏電していることを使用者に報知することができるため、安全性の確保と危険性排除の対応をスムーズに行うことができる。
【発明の効果】
【０００８】
以上のように、本発明の衛生洗浄装置は、漏電時の安全性を確保するとともに、使用者
に対する漏電表示の視認性が高く、危険性排除の対応が容易になる。
【発明を実施するための最良の形態】
【０００９】
便器上に設置する本体と、前記本体に一体に形成した操作部と、前記本体に回動自在に枢支した便座と便蓋と、洗浄水で局部を洗浄する洗浄手段と、前記便座を加熱する便座ヒータと、前記洗浄水を加熱する温水ヒータと、少なくとも前記便座ヒータと温水ヒータへの電力の供給を遮断する遮断手段と、前記便座ヒータと温水ヒータを含む電気負荷を制御する制御手段と、前記電気負荷の漏電を検知する漏電検知手段と、前記本体または操作部の表面部に配置した前記漏電検知手段の表示部とテスト用スイッチを備え、前記漏電検知手段が漏電を検知した時は、前記遮断手段を遮断して前記電気負荷と商用電源との接続を遮断するとともに、前記表示部を表示することにより、衛生洗浄装置に漏電が発生した場合、漏電検知手段が漏電を検知し、便座ヒータと温水ヒータを含む電気負荷を商用電源から遮断するとともに、本体または操作部に設けた表示部により衛生洗浄装置が漏電している旨を使用者に報知することとなり、漏電時の安全性を確保するとともに、使用者に対する漏電表示の視認性が高く、危険性排除の対応が容易になる。
【００１０】
第２の発明は、特に、第１の発明において、制御手段を絶縁トランスを介して商用電源と直接接続しない状態で電力供給が可能な構成とし、遮断手段を遮断した状態において制御手段に電力が供給可能とすることにより、制御手段は常に商用電源より絶縁した状態で通電しており、他の電気負荷が漏電した場合でも制御手段の安全性を確保することができるため、漏電を検知して遮断手段を遮断した状態でも制御手段に通電することが可能なり、制御手段の先に接続する機能を継続して使用することができる。
【００１１】
第３の発明は、特に、第１または第２の発明において、衛生洗浄装置から離れた位置から操作するリモコンを備え、前記リモコンに少なくとも漏電検知手段の表示部を設置したことにより、通常使用者が使い易くかつ視認性の高い位置に設置するリモコンに表示部を配置したこととなり、表示部の視認性をより高めることができ、危険性の排除の対応がより容易にできる。
【００１２】
以下に、本発明の実施の形態について、図面を参照しながら説明する。
【００１３】
（実施の形態１）
図１（ａ）は、本発明の実施の形態１における衛生洗浄装置の外観斜視図を示し、図１（ｂ）は、図１（ａ）におけるＡ部の詳細を示す平面図である。
【００１４】
図１（ａ）に示す衛生洗浄装置１００は便器（図示せず）の上面に設置して使用するものであり、衛生洗浄装置１００の後部に配設した本体１０１は便器にボルト（図示せず）で固定して使用する。本体１０１の前面には便座１０２と便蓋１０３が設けてあり、本体１０１内に設置した便座便蓋開閉モータ１１５の駆動力により回動する。
【００１５】
本体１０１の下部には、収納位置と洗浄位置の間を進退自在な洗浄ノズルから洗浄水を噴出して局部を洗浄する洗浄手段１０４が設置してある。
【００１６】
本体１０１の側面には操作部１０５が本体１０１と一体に設置してある。操作部１０５の上面には衛生洗浄装置１００の各機能を操作したり各機能の設定を行う複数のスイッチ１０６と表示ランプ１０７を配置してある。図１（ｂ）に示すように操作部１０５の後端部には漏電表示部である漏電表示ＬＥＤ１２２と、プッシュスイッチで構成された漏電遮断器のテスト用スイッチ１２３が配置してある。
【００１７】
漏電表示ＬＥＤ１２２とテスト用スイッチ１２３は操作部１０５の後端に配置し、しか
もスイッチの押圧面積を小さくすることで、ユーザーが誤って操作することを防止することができる。また、テスト用スイッチ１２３の操作に要する押圧は、他のスイッチ１０６の操作に要する押圧の３〜５倍に設定してあり、操作部１０５の清掃等で触れた場合でも容易にご操作が発生しないようになっている。
【００１８】
図２は本発明の実施の形態１における衛生洗浄装置１００の回路構成図である。
【００１９】
電源コンセント１０８に接続された電源プラグ１０９から入力された電源ライン１１０は往復電流の差を検知するＺＣＴ（零相変流器）１１１を通して、電源回路１１２に入力される。電源回路１１２は、衛生洗浄装置の制御回路１１３や脱臭ファン１１４や便座便蓋電動開閉モータ１１５などのＤＣ電源電圧を発生させている。制御回路１１３は脱臭ファン１１４や便座便蓋電動開閉モータ１１５のほか、湯水ヒータ１１６や、便座ヒータ１１７をＯＮ、ＯＦＦするトライアック１１８、１１９も制御している。ＺＣＴ１１１の電圧出力は漏電検知回路１２０に入力され、漏電検知回路１２０は漏電遮断用の３接点を備えたリレー１２１を制御している。
【００２０】
以上のように構成された衛生洗浄装置について、以下その動作、作用を説明する。
【００２１】
衛生洗浄装置１００で漏電が発生すると、電源ライン１１０の往復電流に差が発生することによりＺＣＴ１１１に出力電圧が発生し、漏電検知回路１２０は漏電遮断用のリレー１２１を制御して電源ライン１１０と電源回路１１２から温水ヒータ１１６や、便座ヒータ１１７と制御回路１１３を遮断する。また、リレー１２１の接点のうち、電源ライン１１０の一方のラインを開閉する接点は接続が切り替わり漏電表示ＬＥＤ１２２に電流が流れて点灯することにより使用者に衛生洗浄装置が漏電していることを表示することができる。
【００２２】
一方、漏電表示ＬＥＤ１２２が点灯していない状態で、漏電のテスト用スイッチ１２３を押すとＺＣＴに通されたテスト電流ライン１２４へ電流が流れることにより電源ライン１１０の往復電流に差が発生した時と同様にＺＣＴ１１１には出力電圧が発生し、漏電が起きたときと同様にリレー１２１が作動し漏電表示ＬＥＤ１２２が点灯することにより漏電遮断器が正常に作動することが確認できる。この時、例えばＺＣＴ１１１が破損していたり、漏電検知回路１２０が断線している場合は漏電表示ＬＥＤ１２２は点灯しないため漏電遮断器に異常があることが判る。
【００２３】
（実施の形態２）
図３は、本発明の実施の形態２における衛生洗浄装置の回路構成図である。実施の形態１と同一符号のものは同一の構成とし説明を省略する。
【００２４】
本実施の形態の衛生洗浄装置が実施の形態１と異なっている点は、電源回路２０１が絶縁トランスを２０２用いた電源回路であり、漏電が発生していない場合は、２接点を備えたリレー２０３により電源ライン１１０と電源回路２０１から温水ヒータ１１６や、便座ヒータ１１７と制御回路１１３とを接続されている。
【００２５】
上記構成の衛生洗浄装置１００において漏電が発生した場合には、実施の形態１と同様にＺＣＴ１１１に電圧出力が発生し漏電検知回路１２０により２接点を備えたリレー２０３により、電源ライン１１０から温水ヒータ１１６や便座ヒータ１１７は遮断されるが、制御回路１１３は絶縁トランス２０２により、電源ライン１１０から絶縁された状態で電力が供給される。そのため、温水ヒータ１１６や、便座ヒータ１１７等は停止するが、制御回路１１３のみで動作する脱臭ファン１１４や便座便蓋電動開閉モータ１１５は動作することができ、ユーザーは漏電した場合でも、用便に最低限必要な便座１０２と便蓋１０
３の開閉は可能でありトイレ機能の最低限の機能を使用することが可能となる。
【００２６】
また、実施の形態１と同様にリレー２０３の接点のうち、電源ライン１１０の一方のラインを開閉する接点は接続が切り替わり漏電表示ＬＥＤ１２２に電流が流れて点灯することにより使用者に衛生洗浄装置が漏電していることを表示することができる。
【００２７】
また、実施の形態１と同様に、使用者が漏電のテスト用スイッチ１２３を押すことにより、漏電遮断器のテストを行うことができる。
【００２８】
（実施の形態３）
図４（ａ）は、本発明の実施の形態３における衛生洗浄装置の外観斜視図を示し、図４（ｂ）はリモコンの正面図を示し、図５は本実施の形態の回路図を示すものである。実施の形態１または２と同一符号のものは同一の構成とし説明を省略する。
【００２９】
本実施の形態における衛生洗浄装置が実施の形態２と異なっている点は、本体１０１と一体に設けた操作部１０５とは別に、トイレの壁面等に設置して使用するリモコン３０１を備えており、リモコン３０１と衛生洗浄装置の本体１０１との間で、赤外線を用いた、双方向の通信手段を備えている点である。
【００３０】
リモコン３０１の前面には操作部１０５と同様に衛生洗浄装置１００の各機能を操作または設定を行う複数のリモコンスイッチ３０３とリモコン表示部３０４が配置してあり、その下端部にはリモコン漏電表示部３０５と、漏電遮断器のテストを行うリモコンテスト用スイッチ３０６が配置してある。
【００３１】
リモコンテスト用スイッチ３０６は操作部１０５に設置したテスト用スイッチ１２３と同様に押圧面積を小さくするとともに、操作に要する押圧を他のリモコンスイッチ３０３の操作に要する押圧の３〜５倍に設定することにより、容易にご操作が発生しないようになっている。
【００３２】
リモコン３０１の回路の構成は図５に示すように、リモコン制御部３０２とリモコン通信部３０８が電池によるリモコン電源部で作動する構成となっている。
【００３３】
衛生洗浄装置の本体側の回路構成図で実施の形態２と異なっている点は、リモコンと赤外線による通信を行う通信部３０９を備えた点と、リモコン３０１からのテスト用信号により漏電状態を発生させるための短絡回路３１０とリレー２０３が作動して電源ライン１１０から温水ヒータ１１６や便座ヒータ１１７が遮断されたことを検知するゼロクロス検知回路３１１を備えた点である。
【００３４】
上記構成の衛生洗浄装置で漏電が発生すると、実施の形態２と同様にＺＣＴ１１１に電圧出力が発生し漏電検知回路１２０により２接点を備えたリレー２０３により、電源ライン１１０から温水ヒータ１１６や便座ヒータ１１７は遮断されるが、制御回路１１３は絶縁トランス２０２により、電源ライン１１０から絶縁された状態で電力が供給される。そのため、温水ヒータ１１６や、便座ヒータ１１７等は停止するが、制御回路１１３のみで動作する脱臭ファン１１４や便座便蓋電動開閉モータ１１５は動作することができる。
【００３５】
また、実施の形態２と同様にリレー２０３の接点のうち、電源ライン１１０の一方のラインを開閉する接点は接続が切り替わり漏電表示ＬＥＤ１２２に電流が流れて点灯し、漏電の表示を行う。
【００３６】
また、ゼロクロス検知回路３１１は電力供給が遮断されたことを検知し、検知情報を制
御回路１１３に送ることにより、制御回路１１３はリモコン３０１のリモコン漏電表示部３０５を点灯させる情報を通信部３０９に送り、赤外線通信によりリモコン通信部３０８で受信し、リモコン制御部３０２はリモコン漏電表示部３０５を点灯させる。
【００３７】
一方、使用者がリモコン３０１のリモコンテスト用スイッチ３０６を押すと、リモコン制御部３０２はモコン通信部３０８からテスト情報が本体側の通信部３０９を介して制御回路１１３に送られ、制御回路１１３は短絡回路３１０を接続することにより、漏電状態を発生させ、漏電遮断器のテストを行う。また、本体のテスト用スイッチ１２３による漏電遮断器のテストは実施の形態１および２と同様に行うことができる。
【００３８】
上記リモコンおよび本体側による漏電テストのいずれの場合も、操作部１０５の漏電表示部ＬＥＤ１２２とリモコン漏電表示部３０５の両方が点灯する。
【００３９】
以上のように本実施の形態においては、通常使用者が操作しやすい位置に設置するリモコンに漏電表示部とテスト用スイッチを設けたことにより、異常を容易に視認することができるとともに、使い勝手を向上することができる。
【００４０】
なお、本実施の形態においては、本体とリモコン間は赤外線を用いて通信を行ったが、これに限るものではなく、双方向の通信手段としては電波による無線通信や、ワイヤードで接続された電気的信号を用いても良い。
【００４１】
また、本実施の形態においては、リモコンと本体の操作部の両方に漏電テスト用スイッチと漏電表示部を設置したが、これは必須要素ではなく、リモコンのみにテスト用スイッチと漏電表示部を設けた構成でもよい。
【産業上の利用可能性】
【００４２】
本発明にかかる漏電遮断器は使用者の視認性と使い勝手が向上するものであるので、他の水回り機器等への用途にも適用できる。
【図面の簡単な説明】
【００４３】
【図１】（ａ）本発明の実施の形態１における衛生洗浄装置の外観を示す斜視図（ｂ）図１（ａ）に示すＡ部の詳細を示す平面図
【図２】本発明の実施の形態１における衛生洗浄装置の回路構成図
【図３】本発明の実施の形態２における衛生洗浄装置の回路構成図
【図４】（ａ）本発明の実施の形態３における衛生洗浄装置の外観を示す斜視図（ｂ）図１（ａ）に示すリモコンの詳細を示す正面図
【図５】本発明の実施の形態３における衛生洗浄装置の操作部の図
【図６】従来の衛生洗浄装置の漏電遮断器の図
【符号の説明】
【００４４】
１００  衛生洗浄装置
１０１  本体
１０２  便座
１０３  便蓋
１０４  洗浄手段
１０５  操作部
１１１  ＺＣＴ（漏電検知手段）
１１３  制御回路（制御手段）
１１６  温水ヒータ
１１７  便座ヒータ
１２１、２０３  リレー（遮断手段）
１２２  漏電表示ＬＥＤ（表示部）
１２３  テスト用スイッチ
２０２  絶縁トランス
３０１  リモコン
３０５  リモコン漏電表示部（表示部）
【図１】
2008082044.tif 000003
【図２】
2008082044.tif 000004
【図３】
2008082044.tif 000005
【図４】
2008082044.tif 000006
【図５】
2008082044.tif 000007
【図６】
2008082044.tif 000008